(57)【要約】【課題】極板群の押え効果が十分な極板群押え部を有する鉛蓄電池を得る。【解決手段】電槽１の上部を塞ぐ電槽蓋４の裏側にウェル６を突出する。ウェル６と電槽１内の極板群２の上面との間に、極板群押え部８を設ける。【選択図】　図１
2004103252.tif 000002
【特許請求の範囲】
【請求項１】
電槽が電槽蓋で閉じられ、該電槽蓋の裏側にウェルが突出されている鉛蓄電池であって、
前記ウェルと前記電槽内の極板群の上面との間に極板群押え部を備えたことを特徴とする鉛蓄電池。
【請求項２】
前記極板群押え部は、前記ウェルの先端が延長されて形成されていることを特徴とする請求項１に記載の鉛蓄電池。
【請求項３】
前記ウェルの先端が延長されて形成された前記極板群押え部は、該極板群押え部の先端の屈曲された押え部分で前記極板群の上面を押えていることを特徴とする請求項２に記載の鉛蓄電池。
【請求項４】
前記極板群押え部は、前記ウェルに嵌合されるものであることを特徴とする請求項１に記載の鉛蓄電池。
【請求項５】
前記ウェルに嵌合される前記極板群押え部は、帯板状弾性部材が湾曲されて形成されていることを特徴とする請求項４に記載の鉛蓄電池。
【発明の詳細な説明】
【０００１】
【発明の属する技術分野】
本発明は、鉛蓄電池に関するものである。
【０００２】
【従来の技術】
従来の鉛蓄電池は、電槽内に極板群を収容した後、隣接するセルの中間極柱を貫通溶接にて溶接する。その後、電槽を閉塞するため、電槽と電槽蓋をヒートシール加工にて接合する。
【０００３】
このような鉛蓄電池が自動車・建設機械・農機具等の車両に搭載されている場合には、車両の振動により電槽内の極板群も極柱を支点として一緒に振動してしまい、端子極柱や中間極柱部に亀裂・折損等の不具合を生じる原因となっていた。
【０００４】
そこで、このような鉛蓄電池の電槽蓋の裏側にストラップ押え部を設けて、極板群のストラップを押えるようにしたものが提案されている（例えば、特許文献１参照。）。
【０００５】
【特許文献１】
特開２００２−４２７４７（図１）
【０００６】
【発明が解決しようとする課題】
しかしながら、このように電槽蓋の裏側にストラップ押え部を設けた従来の鉛蓄電池では、ストラップを押えているため、鉛蓄電池が振動を受けた際に、極板群が極柱を中心に回転する動きを押えることができず、端子極柱や中間極柱部に亀裂・折損等の不具合が生じるのを充分に防止することができない問題点があった。
【０００７】
本発明の目的は、極板群の押え効果が十分な極板群押え部を有する鉛蓄電池を得ることにある。
【０００８】
【課題を解決するための手段】
本発明は、電槽が電槽蓋で閉じられ、該電槽蓋の裏側にウェルが突出されている鉛蓄電池を対象とする。
【０００９】
本発明に係る鉛蓄電池では、ウェルと電槽内の極板群の上面との間に極板群押え部を備えたことを特徴とする。
【００１０】
このようにウェルと電槽内の極板群の上面との間に極板群押え部を設けて極板群を押えると、ストラップを押えるとは違って、鉛蓄電池が振動を受けた際の極板群の上下の振動の押え効果の上に、極柱を中心に回転する極板群の回転振動も押えることができ、端子極柱や中間極柱部に亀裂・折損等の不具合が生じるのを充分に防止することができる。
【００１１】
この場合、極板群押え部は、ウェルの先端が延長されて形成されていることが好ましい。このようになっていると、ウェルの成形時に一緒に極板群押え部を成形することができて、低コストで極板群押え部を設けることができる。
【００１２】
また、ウェルの先端が延長されて形成された極板群押え部は、該極板群押え部の先端の屈曲された押え部分で極板群の上面を押えていることが好ましい。このようになっていると、極板群押え部の先端の屈曲された押え部分で極板群の上面を安定した状態で押えることができる。
【００１３】
また、極板群押え部は、ウェルに嵌合されるものであることが好ましい。このようになっていると、ウェルに後から嵌合して極板群押え部を必要に応じて取り付けることができる。
【００１４】
また、ウェルに嵌合される極板群押え部は、帯板状弾性部材が湾曲されて形成されていることが好ましい。このようになっていると、帯板状弾性部材の湾曲による弾性によって極板群を押えることができる。
【００１５】
【発明の実施の形態】
図１及び図２は本発明に係る鉛蓄電池の実施の形態の第１例を示したもので、図１は本例の鉛蓄電池の縦断面図、図２は本例で用いている電槽蓋の裏面を示す斜視図である。
【００１６】
本例の鉛蓄電池では、電槽１内に極板群２が収容されている。極板群２の上面には、極柱３ａ，３ｂが設けられている。電槽１の上部は、電槽蓋４で閉じられている。電槽蓋４には、液栓５が設けられている。液栓５に対応した電槽蓋４の裏側には、該液栓５を包囲する筒状のウェル６が突設され、該ウェル６にはガス抜き用のスリット７が設けられ、液栓５を外して上方から電解液のレベルを目視により確認することができるようになっている。
【００１７】
ウェル６と電槽１内の極板群２の上面との間には、極板群押え部８が設けられている。本例の極板群押え部８は、ウェル６の先端が延長されて形成されている。この極板群押え部８は、該極板群押え部８の先端が直角に屈曲された押え部分８ａで極板群２の上面を押えるようになっている。
【００１８】
このようにウェル６と電槽１内の極板群２の上面との間に極板群押え部８を設けると、ストラップを押えるとは違って、鉛蓄電池が振動を受けた際の極板群２の上下の振動の押え効果の上に、極柱を中心に回転する極板群２の回転振動も押えることができ、端子極柱や中間極柱部に亀裂・折損等の不具合が生じるのを充分に防止することができる。
【００１９】
この極板群押え部８が、本例のようにウェル６の先端を延長して形成されていると、ウェル６の成形時に一緒に極板群押え部８を成形することができて、低コストで極板群押え部８を設けることができる。また、極板群押え部８の押え部分８ａは、極板群押え部８の成形後に、該極板群押え部８の先端を直角に屈曲させて形成することが好ましい。このようにすると、極板群押え部８の成形型の形状を簡単にすることができる。なお、極板群押え部８の押え部分８ａは、最初から成形で直角に屈曲させて形成することもできる。このように極板群押え部８の先端に、直角に屈曲された押え部分８ａが存在すると、極板群２の上面を安定した状態で押えることができる。
【００２０】
図３及び図４は本発明に係る鉛蓄電池の実施の形態の第２例を示したもので、図３は本例の鉛蓄電池のウェルの先端の極板群押え部の他の例の側面図、図４は本例で用いている極板群押え部材の展開斜視図である。
【００２１】
本例の鉛蓄電池でも、ウェル６と電槽１内の極板群２の上面との間に極板群押え部８が設けられている点は第１例と同様である。本例では、図４に示すように、弾性の帯板状をしていて両端に孔１０ａを有する合成樹脂製の帯板状弾性部材１１が用いられ、この帯板状弾性部材１１が図３に示すように丸められて、両端の孔１０ａをウエル６に嵌めることにより、弾性的に支持されて極板群押え部８が形成されている。この丸まった帯板状弾性部材１１の下部で極板群２の上面が弾性的に押えられている。
【００２２】
このように極板群押え部８は、ウェル６に嵌合されて形成されていると、ウェル６に後から嵌合して極板群押え部８を必要に応じて取り付けることができる。また、ウェル６に嵌合される極板群押え部８が帯板状弾性部材１１を湾曲して形成されていると、帯板状弾性部材１１の湾曲による弾性によって極板群２を押えることができる。
【００２３】
なお、帯板状弾性部材１１の両端には孔１０ａではなく、図５に示すように溝１０ｂを互い違いな向きであけたものでもよい。
【００２４】
【発明の効果】
本発明に係る鉛蓄電池では、電槽蓋に設けられているウェルと電槽内の極板群の上面との間に極板群押え部を設けたので、ストラップを押えるとは違って、鉛蓄電池が振動を受けた際の極板群の上下の振動の押え効果の上に、極柱を中心に回転する極板群の回転振動も押えることができ、端子極柱や中間極柱部に亀裂・折損等の不具合が生じるのを充分に防止することができる。
【００２５】
この場合、極板群押え部がウェルの先端を延長して形成されていると、ウェルの成形時に一緒に極板群押え部を成形することができて、低コストで極板群押え部を設けることができる。
【００２６】
また、ウェルの先端が延長されて形成された極板群押え部が、該極板群押え部の先端の屈曲された押え部分で極板群の上面を押えていると、極板群押え部の先端の屈曲された押え部分で極板群の上面を安定した状態で押えることができる。
【００２７】
また、極板群押え部がウェルに嵌合されたものであると、ウェルに後から嵌合して極板群押え部を必要に応じて取り付けることができる。
【００２８】
また、ウェルに嵌合される極板群押え部が帯板状弾性部材を湾曲して形成されていると、帯板状弾性部材の湾曲による弾性によって極板群を押えることができる。
【図面の簡単な説明】
【図１】本発明に係る鉛蓄電池の実施の形態の第１例の縦断面図である。
【図２】第１例で用いている電槽蓋の裏面を示す斜視図である。
【図３】本発明に係る鉛蓄電池の実施の形態の第２例を示したウェルの先端の極板群押え部の他の例の側面図である。
【図４】第２例で用いている極板群押え部材の展開斜視図である。
【図５】極板群押え部材の他の例の展開平面図である。
【符号の説明】
１　電槽
２　極板群
３ａ，３ｂ　極柱
４　電槽蓋
５　液栓
６　ウェル
７　スリット
８　極板群押え部
８ａ　押え部分
１０ａ　孔
１０ｂ　溝
１１　帯板状弾性部材
【図１】
2004103252.tif 000003
【図２】
2004103252.tif 000004
【図３】
2004103252.tif 000005
【図４】
2004103252.tif 000006
【図５】
2004103252.tif 000007